(57)【要約】  横方向に伸縮可能な繊維材料のウェブを形成するための方法であって、  前記方法は、  縦軸から縁部まで厚みが増している、弾性材料の、液体透過性のエンドレスコンベアベルト（２，２’）を、少なくとも１つの局所的な延伸操作にさらし、延伸は、少なくとも１つの縦のバンドを、前記バンドが通常摺動する表面から一時的に引っ込めること、および、延伸状態で、少なくとも１つの支持部材（４，４’，１０）の表面の少なくとも一部と接触したまま前記ベルトを維持することによって達成され、  前記方法は、横方向に延伸した弾性材料の前記コンベアベルト（２，２’）の部分に対して、３重量％から７０重量％の液体含有量を有する柔軟な繊維材料のウェブ（１６）を堆積させ、  前記ウェブ（１６）の横方向への圧縮と、それと同時の液体の部分的な除去を引き起こすために、元々の構造に戻る間、真空効果によって、弾性材料の前記コンベアベルト（２，２’）に付いている柔軟な繊維材料の前記ウェブ（１６）を維持する、方法。【選択図】図１
2013533132.tif 000002
【特許請求の範囲】
【請求項１】
横方向に伸縮可能な繊維材料のウェブを形成するための方法であって、
前記方法は、
縦軸から縁部まで厚みが増している、弾性材料の、液体透過性のエンドレスコンベアベルト（２，２’）を、少なくとも１つの局所的な延伸操作にさらし、延伸は、少なくとも１つの縦方向のバンドを、前記バンドが通常摺動する表面から一時的に引っ込めること、および、延伸状態で、少なくとも１つの支持部材（４，４’，１０）の表面の少なくとも一部と接触したまま前記バンドを維持することによって達成され、
前記方法は、
横方向に延伸した弾性材料の前記コンベアベルト（２，２’）の部分に対して、３重量％から７０重量％の液体含有量を有する柔軟な繊維材料のウェブ（１６）を堆積させ、
前記ウェブ（１６）の横方向への圧縮と、それと同時の液体の部分的な除去を引き起こすために、元々の構造に戻る間、真空効果によって、柔軟な繊維材料の前記ウェブ（１６）を、弾性材料の前記コンベアベルト（２，２’）に付いたまま維持する、方法。
【請求項２】
穴の開いた外側面を有するとともに、一対の周辺溝（６）が設けられた、実質的に剛体材料のローラー（４）からなる支持部材上に取り付けられた弾性材料のスリーブ（２）をコンベアベルトとして使用し、および、
前記周辺溝（６）を覆う２つの周辺バンドを、前記溝に一時的に挿入することによって、前記スリーブ（２）の横方向への延伸を引き起こす、請求項１に記載の方法。
【請求項３】
前記支持ローラーの軸に対して平行な軸を有するとともに前記溝に対応する位置に配される、一対の押圧ローラー（１２）によって、支持ローラー（４）の溝（６）を覆う弾性スリーブ（２）の２つの周辺バンドを、一時的に挿入する、請求項２に記載の方法。
【請求項４】
一対のエンドレス押圧ベルト（３６）によって、前記弾性スリーブ（２）の局所的な延伸を引き起こす、請求項１に記載の方法。
【請求項５】
一対の間を開けて配されたローラー（１８）からなる、支持部材上に取り付けられた弾性材料のスリーブ（２）を、エンドレスコンベアベルトとして用い、
前記間を開けて配されたローラー（１８）によって定義される周辺の空洞を覆う中央のバンドを、前記空洞に一時的に挿入することによって、弾性材料の前記スリーブ（２）の横方向への延伸を引き起こす、請求項１に記載の方法。
【請求項６】
一対の間を開けて配されたローラー（１８）からなる、支持部材上に取り付けられた弾性材料のスリーブ（２）を、エンドレスコンベアベルトとして用い、
前記間を開けて配されたローラー（１８）によって定義される周辺の空洞を覆う中央のバンドを、前記空洞から一時的に引っ込めることによって、弾性材料の前記スリーブ（２）の横方向への延伸を引き起こす、請求項１に記載の方法。
【請求項７】
前記支持部材（４）に関連するローラー（１８）の半径よりも大きな半径を有する固定されたローラーセクター（２２）に、弾性スリーブ（２）をさらす、請求項６に記載の方法。
【請求項８】
固定された押圧部品（２２’）が、接触している前記スリーブの部分に作用することに加えて、２つのローラー（１８）によって定義される空洞から前記スリーブを引っ込めるという意味で、前記ローラー（１８）のシャフトに対して平行にスリーブを延伸させる、固定された押圧部品（２２’）の作用に、弾性スリーブ（２）をさらす、請求項７に記載の方法。
【請求項９】
支持ローラー（４）の端部に固定された弾性材料のスリーブ（２）を、スリーブ上での横方向への延伸操作の間、維持する、請求項１乃至８の１以上に記載の方法。
【請求項１０】
前記ローラーの回転シャフトの外部延長部（４０）に端部で固定される前記スリーブ（２）の軸長さよりも短い軸長さを有する、支持ローラー（４）上に取り付けられた弾性材料のスリーブ（２）を、エンドレスコンベアベルトとして用い、
前記支持ローラー（４）の軸に対して平行な軸と、軸長さよりも長い離間した距離とを有し、前記ローラーを超えて突出する前記スリーブの部分が軸に到達するように、前記軸に対して垂直に平行移動するように作られた、一対の押圧ローラー（１２）によって、弾性材料の前記スリーブ（２）の横方向への延伸を引き起こす、請求項１に記載の方法。
【請求項１１】
１以上の局所的な延伸操作に、前記ローラー（４）の周りに巻かれた前記弾性材料のスリーブ（２）をさらし、および、元々の構造への弾性戻りの各々の段階の実質的に終了時に、前記スリーブ（２）から、柔軟な繊維材料のウェブ（１６）を取り除いて、前記スリーブが再度横方向に延伸した後に前記スリーブ上に再度、ウェブ（１６）を堆積させる、請求項１に記載の方法。
【請求項１２】
支持ローラーと、少なくとも１つの戻りローラーとの間に張られた、弾性材料のベルト（２’）を、コンベアベルトとして使用し、前記支持ローラーで、ベルト（２’）は局所的な横方向への延伸にさらされる、請求項１乃至１１の１以上に記載の方法。
【請求項１３】
少なくとも２つの支持ローラー（４，４’）の周りに巻かれた弾性材料のベルト（２’）を、コンベアベルトとして使用し、各々の支持ローラーでの局所的な横方向への延伸に前記ベルトをさらす、請求項１乃至１２の１つに記載の方法。
【請求項１４】
前記ウェブ（１６）が弾性材料のコンベアベルト（２’）に付いている少なくとも１つの部分について、外側から押圧された柔軟な繊維材料の前記ウェブ（１６）を維持し、これは最初の構造へ戻るものである、請求項１乃至１３の１以上に記載の方法。
【請求項１５】
弾性材料のコンベアベルト（２）の前進速度よりも遅い接線速度で駆動される、ベルト（３０）によって押圧される柔軟な繊維材料の前記ウェブ（１６）を維持する、請求項１４に記載の方法。
【請求項１６】
コンベアベルト（２，２’）と、それが接触する部分との間に、減摩手段を挟むことによって、コンベアベルト（２，２’）の横方向への延伸を容易にする、請求項１乃至１５の１以上に記載の方法。
【請求項１７】
コンベアベルト（２，２’）と、それが接触する部分との間に、潤滑性の物質の膜を挟むことによって、コンベアベルト（２，２’）の横方向への延伸を容易にする、請求項１６に記載の方法。
【請求項１８】
コンベアベルト（２，２’）と、それが接触する部分との間に、ボールリテーナーを挟むことによって、コンベアベルト（２，２’）の横方向への延伸を容易にする、請求項１乃至１７の１以上に記載の方法。
【請求項１９】
エンドレスコンベアベルト（２，２’）の元の構造への弾性的な戻りの間、前記エンドレスコンベアベルトに付いている柔軟な繊維材料の前記ウェブ（１６）は、前記ウェブの前進方向で、差次的な吸引効果にさらされる、請求項１に記載の方法。
【請求項２０】
局所的な横方向への延伸だけでなく、局所的な縦方向への延伸に、エンドレスコンベアベルト（２，２’）をさらし、その後、すでに縦方向に延伸されて、最初の構造へと弾性的に戻りつつあるコンベアベルトの部分に、柔軟な繊維材料の前記ウェブ（１６）を堆積させる、請求項１乃至１９の１以上に記載の方法。
【請求項２１】
横方向への圧縮と、場合によっては縦方向への圧縮に、柔軟な紙材料のウェブ（１６）をさらすだけでなく、得られた繊維材料に、対応する特定の特徴を与えることができる物質による含浸処理にもウェブ（１６）をさらす、請求項１乃至２０の１以上に記載の方法。
【請求項２２】
横方向に伸縮可能で、場合によっては縦方向にも伸縮可能な繊維材料のウェブを、組み合わされた生成物に特定の特徴を与えることができる少なくとも１つの他のウェブと結合させる段階も含む、請求項１乃至２１の１以上に記載の方法。
【請求項２３】
３％から７０％の水含有量を有する柔軟な繊維材料のウェブ（１６）から、横方向に伸縮可能な繊維材料を生成するための装置であって、
前記装置は、
縦軸から縁部に向かって厚みが増加している、弾性材料の、流体透過性のエンドレスコンベアベルト（２，２’）、
少なくとも１つの縦軸バンドが通常摺動する表面から、前記縦軸バンドを引っ込めた後に、前記エンドレスコンベアベルト（２，２’）の局所的な横方向への延伸を引き起こすための、および、延伸した状態において、少なくとも１つの支持部材（４，４’）の表面の少なくとも一部に付いたまま、前記ベルトを維持するための手段、
エンドレスコンベアベルトの横方向に延伸する部分上に、柔軟な繊維材料の前記ウェブ（１６）を堆積させるための手段、
前記ベルトの元々の構造への弾性的な戻りの間、前記ベルトに付いたまま柔軟な繊維材料の前記ウェブを維持するために、この手法で、柔軟な繊維材料の前記ウェブの横方向への圧縮と、それと同時にそこからの液体の部分的な除去を引き起こすために、前記エンドレスコンベアベルト（２，２’）を介して作用する、少なくとも１つの固定された真空ソース（１０）、
を含む、装置。
【請求項２４】
エンドレスコンベアベルト（２，２’）はスリーブからなり、支持部材は、穴の開いた外側面を有する実質的な剛体材料のローラー（４，４’）からなり、前記スリーブによって覆われる、請求項２３に記載の装置。
【請求項２５】
前記ローラー（４，４’）には、両方の縁部で前記ローラーの端部に固定された前記スリーブ（２，２’）によって覆われる、少なくとも１つの周辺溝（６）が設けられる、請求項２４に記載の装置。
【請求項２６】
前記支持ローラー（４，４’）の軸に平行な軸を有し、前記スリーブ（２）の前記周辺溝（６）への一時的な局所的挿入を引き起こすという意味で作用する、一対の押圧ローラー（１２）を含む、請求項１乃至２５の１以上に記載の装置。
【請求項２７】
穴の開いた外側面を有し、一対の周辺溝（６）が設けられた、実質的に剛体材料のローラー（４，４’）の周りに巻かれたスリーブ（２）からなる、エンドレスコンベアベルトを含み、前記スリーブは、両方の縁部で前記ローラー（４，４’）の端部に固定され、
シャフト（１４）の軸に対して垂直に平行移動可能な、前記シャフト（１４）に取り付けられた一対の押圧ローラー（１２）であって、前記押圧ローラーを前記周辺溝（６）に挿入する、および、この手法で、前記溝を覆う前記スリーブの部分を前記溝に引き込む、一対の押圧ローラー（１２）をさらに含む、請求項１乃至２６の１以上に記載の装置。
【請求項２８】
対の深い周辺溝の間にあるローラー部分が凹面外形を有する、請求項２７に記載の装置。
【請求項２９】
押圧ローラー（１２）は、凹面ローラーの対応する部分に実質的に相補的な凸面外形を有する単一のローラーに一体化される、請求項２４に記載の装置。
【請求項３０】
前記ローラー（４，４’）の内部は、ローラーの穴の開いた外側面に面する穴の開いた表面を含む、前記固定された真空ソース（１０）を収容する、請求項１乃至２９の１以上に記載の装置。
【請求項３１】
前記固定された真空ソース（１０）は、柔軟な繊維材料の前記ウェブ（１６）の前進方向に互いに離間した、および、前記前進方向に差次的な吸引力を提供するように配された、複数のコンパートメントからなる、請求項３０に記載の装置。
【請求項３２】
前記固定された真空ソース（１０）は、前記ウェブ（１６）の前進方向で差次的である吸引力を及ぼすために、異なる直径の穴部が設けられたローラー（４，４’）の穴の開いた外側面に面した表面を有する、請求項３０に記載の装置。
【請求項３３】
周辺溝が中央に設けられた実質的に剛体材料のローラー（４）の周りに巻かれたスリーブ（２）からなるエンドレスコンベアベルトを含み、前記スリーブは両方の縁部で前記ローラー（４）の端部に固定され、および、
挿入によって前記周辺溝に入るという意味で作用する、および、この手法で前記スリーブ（２）の中央バンドを溝に引き込む、一対の押圧ローラー（１２）をさらに含む、請求項１乃至３２の１以上に記載の装置。
【請求項３４】
前記ローラー（４）内に設けられる中心空洞は、前記弾性スリーブ（２）の中央バンドが前記空洞に挿入された後に停止する、穴の開いた表面が設けられた前記固定された真空ソース（１０）を、内部に収容する、請求項１乃至３３の１以上に記載の装置。
【請求項３５】
前記ローラー（４）内に設けられる中心空洞は、ローラーの半径を超えて突出する前記固定された真空ソース（１０）を内部に収容し、この真空ソース（１０）の２つの側面には、前記ローラー（４）のシャフトからの引っ込めによって前記弾性スリーブ（２）を延伸させるという意味で作用する、２つの固定されたローラーセクターが位置付けられる、請求項１乃至３４の１以上に記載の装置。
【請求項３６】
まず、前記ローラー（４）の軸とは垂直に、その後、分岐方向に、前記ローラー（４）の空洞から外側に伸長する、一対の固定された押圧部品（２２’）を含む、請求項３５に記載の装置。
【請求項３７】
コンベアベルトが、スリーブ（２）が局所的な横方向への延伸にさらされる支持ローラー（４）と、少なくとも１つの戻りローラーとの間に張られた、スリーブ（２）からなる、請求項１乃至３６の１以上に記載の装置。
【請求項３８】
エンドレスコンベアベルトは、少なくとも２つの支持ローラー（４，４’）の間で包まれた弾性ベルト（２’）からなり、前記支持ローラーの各々で、ベルトは局所的な横方向への延伸にさらされる、請求項１乃至３７の１以上に記載の装置。
【請求項３９】
エンドレスコンベアベルトは、弾性スポンジ材料から形成される、請求項１乃至３８の１以上に記載の装置。
【請求項４０】
エンドレスコンベアベルトは、可撓性を有する織物材料の２つの流体透過性の断片（３２）と、その間に挟まれた弾性スポンジ材料（３４）の層からなる、請求項１乃至３９の１以上に記載の装置。
【請求項４１】
前記コンベアベルト（２，２’）と、それが接触する部分との間で挟まれた減摩手段を含む、請求項１乃至４０の１以上に記載の装置。
【請求項４２】
前記減摩手段は潤滑性の物質の膜からなる、請求項４１に記載の装置。
【請求項４３】
前記減摩手段はボールリテーナーからなる、請求項４１に記載の装置。
【請求項４４】
エンドレスコンベアベルト（２，２’）内で局所的な縦方向への延伸を引き起こすための手段と、すでに縦方向に延伸して、最初の構造へと弾性的に戻りつつあるコンベアベルト部分上に、柔軟な繊維材料の前記ウェブ（１６）を堆積させるための手段をさらに含む、請求項１乃至４３の１以上に記載の装置。
【請求項４５】
繊維材料の前記ウェブのための浸潤および／または含浸の手段を含む、請求項１乃至４４の１以上に記載の装置。
【請求項４６】
組み合わされた生成物に特定の特徴を提供し得る少なくとも１つの他のウェブに、横方向に伸縮可能な、場合によっては縦方向に伸縮可能な繊維材料を結合するための手段を含む、請求項１乃至４５の１以上に記載の装置。
【発明の詳細な説明】
【技術分野】
【０００１】
本発明は、横方向に伸縮可能な繊維材料のウェブ、特に、ペーパーウェブを形成する方法、および、該方法を実行するための装置に関する。
【背景技術】
【０００２】
２００９年８月４日の特許文献１は、横に伸縮可能な繊維材料のウェブ、特にペーパーウェブを形成する方法を記載している。これによれば、特定の水含有量を有する柔軟な繊維材料のウェブは、ウェブの前進方向に対して垂直な方向に一時的かつ局所的に伸びる弾性曲面に付けられて作られ、少なくともこれが元々の構造を実質的に取り戻すまで、前記弾性曲面への付着を維持される。
【発明の概要】
【課題を解決するための手段】
【０００３】
解決策はとりわけ有効かつ有利であることが明らかとなっているが、特に、以下の特性下で、本発明の教示を適用することによって、さらに一層有利になる能力を強調している：
―弾性材料のコンベヤーベルトの横方向への延伸の均一性、
―横方向への圧縮中の繊維材料ウェブの付着、
―乾燥速度、
―横方向への延伸と当初の構造への弾性的な回復の間に接触する部品に対する、弾性材料のコンベヤーベルトの摺動しやすさ、
―同じコンベヤーベルトを使用する際の方法の反復性。
【０００４】
横方向に伸縮可能な繊維材料のウェブ、特に、ペーパーウェブを形成するための本発明による方法は、請求項１の主題を形成するが、本方法を実行するための装置は、請求項２３に記載されている。
【先行技術文献】
【特許文献】
【０００５】
【特許文献１】国際特許出願ＷＯ２０１０００１５６１４号
【図面の簡単な説明】
【０００６】
本発明は、添付の図面を参照していくつかの好ましい実施形態によって、これより先でさらに明確にされる。
【０００７】
【図１】本発明によって方法を実行するための装置の概略図である。
【図２】図１のＩＩ−ＩＩ線の断面図である。
【図３】図１と同じ図であるが、動作状態中の装置を示す。
【図４】図３のＩＶ−ＩＶ線の断面図である。
【図５】図３と同じ図であるが、凸面特性を有する弾性のスリーブの支持ローラーを備えた変更形態として装置を示す。
【図６】図５のＩＶ−ＩＶ線の断面図である。
【図７】図３と同じ図であるが、外部の推力によって伸縮可能なスリーブを備えた変更形態として装置を示す。
【図８】図７と同じ図であるが、異なる形状の押圧部品（ｐｒｅｓｓｅｒ  ｅｌｅｍｅｎｔｓ）を含む装置を部分的に示す。
【図９】図３と同じ図であるが、異なる変更形態としての装置を示す。
【図１０】図９のＸ−Ｘ線の断面図である。
【図１１】図１と同じ図であるが、ボールリテーナーからなる弾性スリーブの支持ローラーを備えた変更形態として装置を示す。
【図１２】図１１のＸＩＩ−ＸＩＩ線の断面図である。
【図１３】図１１と同じ図であるが、動作状態中の装置を示す。
【図１４】図１３のＸＩＶ−ＸＩＶ線の断面図である。
【図１５】図１と同じ図であるが、２つの延伸ステーション（ｓｔａｔｉｏｎ）の装置を示す。
【図１６】図１５のＸＶＩ−ＸＶＩ線の断面図である。
【図１７】図１５と同じ図であるが、動作状態中の装置を示す。
【図１８】図１７のＸＶＩＩ−ＸＶＩＩ線の断面図である。
【図１９】図１と同じ図であるが、伸縮可能な弾性ベルトによって包まれた２つの異なるローラー上で作動する、２つの延伸ステーションを含む変更形態として装置を示す。
【図２０】図１９のＸＸ−ＸＸ線の断面図である。
【図２１】図１９と同じ図であるが、動作状態中の装置を示す。
【図２２】図２１のＸＸＩＩ−ＸＸＩＩ線の断面図である。
【図２３】図４と同じ図であるが、ペーパーウェブを形成する横方向の収縮段階を促進する、フェルト要素を備えた変更形態として装置を示す。
【図２４】図３と同じ図であるが、弾性スポンジ材料のスリーブを備えた変更形態として装置を示す。
【図２５】図２４と同じ図であるが、弾性スポンジ材料の一部のスリーブを備えた変更形態としての装置を示す。
【図２６】図２４と同じ図であるが、２枚の布の間に挟まれた弾性のスポンジ材料のスリーブを用いる変更形態として装置を示す。
【図２７】図３と同じ図であるが、さらなる変更形態としての装置を示す。
【図２８】図２７のＸＸＶＩＩＩ−ＸＸＶＩＩＩ線の断面図である。
【図２９】図１と同じ図であるが、非動作状態において示された変更形態としての装置を示す。
【図３０】同じ変更形態であるが、動作状態中の変更形態を示す。
【図３１】縦と横に伸縮可能なウェブを形成することを意図した、さらなる変更形態を概略的に示す。
【０００８】
図１乃至４で例証された実施形態の図から明らかなように、本発明の装置は、２つのローラー端部から等しい距離をおいて設けられた１対の周辺溝（６）を含む、ローラー（４）のまわりに巻かれた、穴の開いた、または、液体透過性のゴムの弾性チューブ状のスリーブ（２）を含む。
【０００９】
スリーブ（２）は、場合によっては拡張されるエラストマーの１またはそれ以上の層からなるか、あるいは、弾性または非弾性の糸で形成された単一または複数の織物からなり、この場合、糸は、弾性的な織り方に従って織られるか、あるいは、最終的には前者で形成された複合体層でなければならない。スリーブは、いわゆるフラットテーブルのベルトを形成することもでき、従来の製紙機械において、フィードボックス（ｆｅｅｄ  ｂｏｘ）に由来する混合物を受け取る。
【００１０】
スリーブが形成される方法とは無関係に、スリーブは、以下で明らかになる理由で、横方向への伸長方向の厚さが異なる。
【００１１】
スリーブ（２）とローラー（４）の間の接続の安定性は、２つのローラー端部まわりでスリーブの縁を折りたたみ、その後、任意の従来のシステムによって、折りたたまれたスリーブの縁を固定することによって保証され、固定は、例えば、スリーブの縁に、伸縮不可能なケーブルを組み入れること、または、バッキングローラー（ｂａｃｋｉｎｇ  ｒｏｌｌｅｒ）によって、ローラー（４）の端部に付けられるスリーブ（２）のこれらの縁を押さえることを含む。
【００１２】
ここで例証される実施形態において、ローラー（４）、または、２つの周辺溝（６）間に位置する少なくともその中央部分（８）はくぼんでおり、完全に穴の開いた円筒状の表面を有する。その内部では、それは、前記中央部分（８）の軸方向の全長に沿って伸長する環状の扇形形状の固定された吸引チャンバー（１０）を収容する。
【００１３】
吸引チャンバー（１０）は吸引力の強度を調節するために、別々の部分として形成することができる。
【００１４】
この吸引チャンバー（１０）は吸引ポンプ（図では示されていない）に接続されており、同様に穴をあけられたか、または、空気透過性の、ローラー（４）の中央部分（８）の穴を開けられた表面に面する円筒状の表面を有する。穴の開いた表面の場合、穴部は、例えば、この場合では、吸引力の強度を調節するなどのために、前記穴の開いた表面を形成する、横方向バンドの直径が異なってもよい。
【００１５】
装置は、ローラー（４）の軸に対して平行な軸を備えたシャフトに取り付けられるとともに、ローラー（４）の周辺溝（６）の外側にある際の静止位置（図１および２を参照）と、スリーブ（２）の挟まれた部分と一緒に内部へ部分的に挿入される操作位置との間で平行移動可能（ｔｒａｎｓｌａｔａｂｌｅ）な一対のローラ（１２）を含む。
【００１６】
操作時、すなわち、装置が操作段階にあり、溝（６）にローラー（１２）を部分的に入れることによってスリーブ（２）が横方向に延伸する際、３％乃至７０％の水含有量を有するとともに、例えば、製紙機械のフロー・ボックスを残した紙混合物からなるか、あるいは、完成して再度湿らせた紙のウェブからなる、柔軟材料のウェブ（１６）は、スリーブ（２）の中で最も延伸した部分に落とされる。柔軟な繊維材料のこのウェブが、移動したスリーブ（２）の延伸した部分にある際に、吸引チャンバー（１０）によって作成される真空により、前記ウェブ（１６）はスリーブのもっとも延伸したその部分と次の部分の両方で、前記スリーブ（２）に付着する。すなわち、ローラー（４）とスリーブ（２）の回転が、ローラー（１６）による係合からこの後者のその部分を移動させることによって、スリーブは、延伸していない当初の構造を弾性的に再度とることができる。スリーブ（２）に常に付いたまま柔軟材料のウェブ（１６）を維持する吸引効果を伴って、延伸した状態から延伸していない状態へとスリーブ（２）が弾性的に戻ることによって、ウェブの横方向への収縮を引き起こし、したがって、この横方向への収縮に関連付けられる程度まで、最終的なウェブを将来の使用の間、横方向に伸縮可能にさせることは明白である。
【００１７】
スリーブ（２）へのウェブ（１６）の付着を容易にするために、スリーブを有利に湿潤にさらすことができる。
【００１８】
横方向に収縮している柔軟材料のウェブ（１６）上で吸引チャンバー（１０）によって形成される真空により、ウェブから多くの水分が取り除かれ、乾燥システムの全体的な長さ（乾燥終了（ｄｒｙ  ｅｎｄ））の減少と、それに関連するエネルギー消費の減少の両方の観点で、乾燥時間と結果として生じる利点を著しく減少させることに注目する。
【００１９】
ウェブ（１６）からの水分除去は、いかなる場合でも、ウェブを高温、好ましくは、縦方向に差次的な温度にさらすことによって、さらに促進されることができる。
【００２０】
横方向に伸縮可能なことに加えて、さらに特定の大きさ（ｂｕｌｋ）を示す繊維材料ウェブが必要とされる特定の適用において、吸引チャンバー（１０）は、別の吸引チャンバー（図では示されず）によって柔軟材料のウェブ（１６）の上に面する。これはエンドレスベルト（２）からウェブ（１６）を引き上げないようにチャンバー（１０）よりも小さな力を持っていなければならないが、ウェブの厚みを増やすのに十分なものでなければならない。
【００２１】
本発明に応じた装置の実際的な実施と、その後の実験的検査において、スリーブ（２）の横方向への延伸のあいだ、スリーブ（２）の特定の部分がローラーの中央部分（８）の円筒状の表面に付き、残りの部分は大気中にあるという事実によって潜在的に引き起こされる、延伸ムラが長さ方向に存在することが注目されてきた。本発明は、異なる厚み、具体的にいえば、部分（８）と接する部分ではより薄く、大気中の部分ではより厚い、ゴムのスリーブ（２）を作ることによって、この欠点を取り除いた。
【００２２】
このようにして、スリーブは、薄い方の部分（８）に接してその部分にさらに延伸する一方で、厚い方の残りの部分にはさほど延伸しないが、ウェブ（１６）の横方向への収縮には直接関係せず、ローラー（１２）による大きな圧力に耐えなければならない。
【００２３】
さらに、この段階の間に、前記スリーブが、ローラー（４）の中央部分（８）の表面に沿った接線方向の摺動と、周辺溝（６）と押圧ローラー（ｐｒｅｓｓｅｒ  ｒｏｌｌｅｒ）（１２）の縁部での折り目付け加工（ｃｒｅａｓｉｎｇ）との両方にさらされるという事実によってスリーブ（２）の横方向の延伸ムラが引き起こされるということがわかったため、本発明は、前記スリーブと装置の残りの部分の間で接触するそれらの部分で減摩手段を用いる。
【００２４】
図５および６では、ローラー（４）の中央部分（８）は、円筒状の代わりに凸面外形で形成され、この手法で、前記スリーブの延伸の間、ローラー（４）の中央部分（８）の縁部上のスリーブ（２）に折り目が付くことを防ぐことができる。この実施形態では、２つの押圧ローラー（１２）は好ましくは組み合わされることによって、凸面外形のローラーとほぼ相補的な凹面外形を有する単一のローラーにされる。
【００２５】
図７は、弾性のスリーブ（２）の支持ローラーが、実際には、スリーブ（２）がその間に張られた２つの端部ローラー（１８）からなる装置を示している。
【００２６】
この場合、柔軟材料のウェブ（１０）が位置付けられるその部分では、スリーブ（２）は、ローラー（１８）を回転シャフト（２０）に近づけることではなく、前記シャフトからそれらを引っ込めることによって、延伸される。
【００２７】
これは、複数のボール（２４）を円筒状の表面に含む１対の固定ローラーセクター（ｒｏｌｌｅｒ  ｓｅｃｔｏｒ）（２２）により達成されることができ、該ボールは、ひとたび前記ローラーセクター（２２）への干渉が終わると、スリーブ（２）の延伸と停止位置への弾性戻りを促進する。
【００２８】
図８の変更形態において、固定された押圧部品（２２’）は、固定ローラーセクター（２２）とは異なる形状を有するように提供され、特に、それらは、まず、ローラー（１８）の回転シャフト（２０）に対して垂直に、その後、ローラー（１８）の向こう側の前記シャフトとは平行に、外側に延伸する。このように、スリーブ（２）は、柔軟な繊維材料のウェブ（１６）に、より大きな支持表面を提示するために、横方向にさらに一段と延伸される。
【００２９】
図９および１０は、スリーブ（２）がローラー（１８）の回転シャフト（２０）に近づくことで延伸し、その延伸が、支持ボール（２８）が設けられた押圧部品（２６）によりスリーブに作用することで達成される、装置を示している。特に、これらの押圧部品（２６）の長さを適切に選ぶことによって、延伸した状態で留まるスリーブ（２）のその部分の、長手方向で測定される長さが、定義されることができる（図１０を参照）。
【００３０】
図１１および１４はローラー（４）を示し、その中央部分（８）は、延伸の間にスリーブ（２）の摺動を容易にするボールリテーナーから実質的になる。同じ結果は、スリーブ（２）とローラー（４）の間に、グリースまたは他の潤滑性の物質の膜を挟むことによっても明らかに達成可能である。
【００３１】
これまで記載された実施形態は、すべて単一の延伸部分を含むが、しかしながら、本発明によれば、柔軟材料のウェブ（１６）は１以上の延伸工程にさらされることができる。
【００３２】
図１５乃至１８は、単一のローラー（４）と単一のスリーブ（２）を備えるが、２つの別々のスリーブ延伸ステーションを備えた装置を示す。第１の横方向への圧縮を経た後に第１のステーションを離れるウェブ（１６）は、スリーブ（２）が第２の延伸にさらされる前に、スリーブ（２）から明らかに引っ込められなければならず、これが最大限の延伸を達成してウェブ（１６）上の第２の横方向への圧縮を実行することができる際に限って、もとに戻ってスリーブと接触しなければならない。
【００３３】
同じ結果は図１９乃至２２に示される異なる装置構造によっても達成することができる。この実施形態は、単一のローラー（４）の回りに巻かれた管状のスリーブ（２）の代わりに、ローラー（４，４’）に張られたベルト（２’）を含む。各々のローラー（４，４’）にはベルト（２’）のためにそれ自体の延伸ステーションが設けられる。
【００３４】
この場合も再度、先に記載された場合のように、柔軟材料のウェブ（１６）は、第１の処理ステーション（ｔｒｅａｔｍｅｎｔ  ｓｔａｔｉｏｎ）を離れるとベルト（２’）から明らかに引っ込められなければならず、これが第２のステーションで延伸した後に、再び同じベルト上に位置付けられなければならない。
【００３５】
繊維材料のウェブ（１６）は、ベルトの特徴を改良するために、任意の圧縮工程の前後に、浸潤または適切な物質の追加にさらされることもできる。これにより、この方法を、既に形成されたペーパーウェブに適用することができる。
【００３６】
先に記載され、例証されたすべての実施形態において、柔軟材料のウェブ（１６）の横方向への圧縮は、前記ウェブをたんにスリーブ（２）とベルト（２’）に付けることで行われ、これは、スリーブ（２）またはベルト（２’）が延伸した状態から延伸していない状態まで変化するその部分の吸引チャンバー（１０）による真空効果によって引き起こされる。しかしながら、本発明によると、ウェブ（１６）が、ウェブ（１６）から水分を取り除くために、かつ、形成下で折り目を平らにするために吸引チャンバー（１０）とも協働する、外部のフェルト要素（３０）によって、スリーブに対してその部分で押圧される場合、スリーブ（２）またはベルト（２’）へのウェブ（１６）の付着の効果は増大可能である。ウェブ（１６）上のフェルト要素（３０）の圧力は、要件に応じて調節することができる。
【００３７】
図２３は図４に対応しているが、このフェルト要素（３０）と一体的に形成されており、フェルト要素は、横方向への延伸の後に停止状態へと戻るその部分において、スリーブ（２）に付いたままである。フェルト要素（３０）の存在は、ウェブ（１６）のスリーブ（２）への優れた付着と、前記ウェブからの優れた水の抽出とを確約する。
【００３８】
フェルト要素（３０）は、一段と大きな大きさをした、横方向だけでなく縦方向への伸縮が提供される最終生成物を得るために、スリーブ（２）と同じ周速度か、または、低速度で、進められることができる。
【００３９】
ウェブ（１６）を前方に進ませる傾向があり、その下部表面に作用するエンドレスコンベア（２）の反作用に、および、その上部表面に作用してウェブの前進に反対する押圧要素に、ウェブ（１６）をさらす能力は、必ずしもフェルト要素（２０）を必要としないが、その代りに、ウェブがエンドレスコンベア（２）の表面に付いたままになるように、前記ウェブ（１６）を圧迫する１つまたはそれ以上のローラーによって達成されることができる。
【００４０】
とりわけ、フェルト要素は、従来の乾燥圧迫（シュープレス（ｓｈｏｅｐｒｅｓｓ））と取り替えられてもよい。
【００４１】
本発明の異なる実施形態では、スリーブ（２）が、弾性材料のみからなる代わりに、弾性のスポンジ材料からなるため、横方向への延伸段階はその厚みの方向への絞りも含む。このようにして、スリーブ（２）の非ストレス状態への弾性的な戻りは、結果として厚みを増やすことにつながり、したがって、ウェブ（１６）から水を吸収するという効果をもたらす。
【００４２】
図２５に示される装置は、スリーブ（２’）がスポンジ材料から形成された中央のバンドのみを有するという点で、図２４に示される装置とは異なる。
【００４３】
図２６で例証された装置は、間に弾性のスポンジスリーブ（３４）が挟まれた、２枚の布、または、メッシュ（３２）からなるスリーブを示している。これによって、とりわけ、非弾性材料からできた布またはメッシュ（３２）を使用することが可能となり、その代わりに、スポンジ材料の固有の弾性を利用することも可能となる。
【００４４】
図２７および２８で示される装置は、押圧要素が、吸引チャンバー（１０）を適切に形作ることによって、延伸にさらされるスリーブ（２）のその部分の伸縮を所望の方法で改良することができるように、配されたリターンローラー（ｒｅｔｕｒｎ  ｒｏｌｌｅｒ）（３８）間に張られたエンドレスベルト（３６）からなるという点で、図９および１０に示される実施形態と異なる。
【００４５】
図において、ベルト（３６）は平らな断面として示されているが、しかしながら、それらは、明らかに環状の断面の通常のベルトの形状をすることができる。
【００４６】
図２９および３０に示される装置は、先の図に関連して既に例証された装置に実質的に相当するが、ローラー（４）内の溝にスリーブ（２）のバンドを挿入することでスリーブ（２）を延伸させる押圧ローラー（１２）の代わりに、押圧ローラーは、ローラー（４）の端部にわたってスリーブを外側に折り畳む。この実施形態は、長い軸長さのスリーブ（２）を必要とし、および、ローラー（４）については、ローラー端部を超えて特定の距離にわたって伸長し、かつ、端部に固定されてスリーブ（２）の端部を支持する支持シャフト（４０）を必要とする。
【００４７】
このようにして、ローラー（４）の構築はより単純であり、加えて、その側面全体は、支持表面として、柔軟な繊維材料のウェブ（１６）に使用することができる。
【００４８】
特定の場合には、横方向に伸縮可能であることに加えて、縦方向にも伸縮可能な繊維材料のウェブを得る必要がある。
【００４９】
これについて、同じウェブ（１６）が、ウェブ（１６）の横方向の圧縮を達成するための第１の処理と、その縦方向の圧縮を達成するための第２の処理の、２つの処理に順にさらされることが可能な装置を使用することができる。
【００５０】
図３１はこの装置を概略的に示す。図において、横方向の弾性を有していることに加えて縦方向の弾性も有するスリーブ（２）は、ローラー（４）が回転する速度ｖ１とほぼ等しい速度ｖ２で回転するローラー（４２）に対応する位置で分離する小さな部分を除いて、ローラー（４）をほとんど完全に包む。その後、スリーブ（２）は、ローラー（４６）で、ローラー（４）と接触するように戻る前に、ローラー（４４）の周囲を通過する。
【００５１】
ローラー（４４）の回転速度ｖ３は、ローラー（４２）の回転速度ｖ２よりも速いが、その一方で、ローラー（４６）の回転速度ｖ４は、ローラー（４２）の回転速度ｖ２、および、ローラー（４）の回転速度ｖ１とほぼ等しい。
【００５２】
この手法において、様々なローラーの速度の差を考慮すると、スリーブ（２）は、ローラー（４４）と（４６）の間の部分への縦方向の延伸、および、ローラー（４４）と（４６）の間の部分への弾性的な戻りにさらされる。したがって、柔軟材料のウェブ（１６）が、スリーブが横方向に延伸した点で、スリーブ（２）に置かれる場合、横方向の圧縮は前述の理由で起こる。この処理の終了後、ウェブ（１６）は、スリーブ（２）が縦方向の延伸にさらされる前に、スリーブ（２）から引っ込められる。
【００５３】
ローラー（４４）に対応する位置で、すなわち、スリーブ（２）が縦方向に延伸された場合、すでに横方向に圧縮したウェブ（１６）は、ローラー（４４）と（４６）の間の次の部分に沿って最初の構造に戻るスリーブ（２）に再度付くように作られることにより、ウェブ（１６）の縦方向の圧縮を引き起こす。
【００５４】
該装置に関して、したがって、ウェブ（１６）が順にさらされる二重の圧縮処理後に、横方向と縦方向の両方に伸縮可能な繊維材料のウェブを得ることが可能である。
【００５５】
弾性ベルト（２）が、横方向の延伸と、おそらくは、縦方向の延伸とにもさらされる、１またはそれ以上の部分を与えるか否かに関係なく、工程の任意の段階で、機械の内部または機械の外部のいずれかで、液体または粉末の物質、あるいは、大気プラズマによる様々な処理にさらされることは、繊維材料のウェブ（１６）にとって有利になり得る。とりわけ、再浸潤処理は、噴霧によってであれ、タンクを通過させることによってであれ、提供可能であり、処理液体は、得られる紙材料が現在有している特性にしたがって、水からなるか、着色物質からなるか、または、防水物質などからなる。
【００５６】
本発明の方法を実施する装置は、例えば、拡大する折り目の特性を利用することにより縦方向に延伸可能で、かつ、この方向における繊維材料の伸縮性の特徴を利用することにより横方向にも延伸可能な、繊維材料のウェブを獲得することについて、米国第２６２４２４５号と米国第６０２４８３２号に記載された従来の縮み（ｃｒｅｐｉｎｇ））および圧縮用の機械と、有利に組み合わされ得る。同様に、該装置は、様々な用途に最もふさわしい特徴を示す、任意の種類の結合したウェブを形成するために、結合用の機械と有利に組み合わされ得る。
【図１】
2013533132.tif 000003
【図２】
2013533132.tif 000004
【図３】
2013533132.tif 000005
【図４】
2013533132.tif 000006
【図５】
2013533132.tif 000007
【図６】
2013533132.tif 000008
【図７】
2013533132.tif 000009
【図８】
2013533132.tif 000010
【図９】
2013533132.tif 000011
【図１０】
2013533132.tif 000012
【図１１】
2013533132.tif 000013
【図１２】
2013533132.tif 000014
【図１３】
2013533132.tif 000015
【図１４】
2013533132.tif 000016
【図１５】
2013533132.tif 000017
【図１６】
2013533132.tif 000018
【図１７】
2013533132.tif 000019
【図１８】
2013533132.tif 000020
【図１９】
2013533132.tif 000021
【図２０】
2013533132.tif 000022
【図２１】
2013533132.tif 000023
【図２２】
2013533132.tif 000024
【図２３】
2013533132.tif 000025
【図２４】
2013533132.tif 000026
【図２５】
2013533132.tif 000027
【図２６】
2013533132.tif 000028
【図２７】
2013533132.tif 000029
【図２８】
2013533132.tif 000030
【図２９】
2013533132.tif 000031
【図３０】
2013533132.tif 000032
【図３１】
2013533132.tif 000033
【国際調査報告】
2013533132.tif 000034
2013533132.tif 000035